(57)【特許請求の範囲】
【請求項１】
上部開放の洗浄液槽上に多数の開口を有するスノコを上下動自在で上昇位置への移動弾性を付勢した状態で設け、その下部には、上記各開口内に移動自在にはまり込む多数のブラシを上面に植えたブラシ板を、ブラシ板駆動手段で水平振動させるように配置すると共に、前記スノコ上に加わる荷重で上記スノコが下降している間に作用して、上記ブラシ板駆動手段を作動させるセンサを設けた靴底洗浄装置において、
上記ブラシ板を洗浄液槽内に、この洗浄液槽内に設けたブラシ受台で前後左右に移動できるように支持して配置し、上記洗浄液槽の外部にモータの駆動で等速回転する二本のブラシ駆動軸を直立に設け、この二本のブラシ駆動軸にそれぞれ設けた偏心ピンと、上記ブラシ板に洗浄液槽の外部に突出するよう設けた連結板のピン孔を、ブラシ駆動軸の回転で上記ブラシ板が前後左右に水平振動して上記各ブラシが上記スノコの各開口内において前後左右に振動するように回転自在に係合させたことを特徴とする靴底洗浄装置。
【請求項２】
上部開放の洗浄液槽上に多数の開口を有するスノコを設け、その下部には、上記各開口内に移動自在にはまり込む多数のブラシを上面に植えたブラシ板を、ブラシ板駆動手段で水平振動させるように配置すると共に、前記スノコ上に加わる荷重で上記スノコが下降している間に作用して、上記スノコ上の靴を検出して上記ブラシ板駆動手段を作動させるセンサを設けた靴底洗浄装置において、
上記ブラシ板を洗浄液槽内に、この洗浄液槽内に設けたブラシ受台で前後左右に移動できるように支持して配置し、上記洗浄液槽の外部にモータの駆動で等速回転する二本のブラシ駆動軸を直立に設け、この二本のブラシ駆動軸にそれぞれ設けた偏心ピンと、上記ブラシ板に洗浄液槽の外部に突出するよう設けた連結板のピン孔を、ブラシ駆動軸の回転で上記ブラシ板が前後左右に水平振動して上記各ブラシが上記スノコの各開口内において前後左右に振動するように回転自在に係合させたことを特徴とする靴底洗浄装置。
【発明の詳細な説明】
【０００１】
【発明の属する技術分野】
この発明は、汚れた靴の底を自動的に洗浄する靴底洗浄装置に関する。
【０００２】
【従来の技術】
従来、靴の底についた泥などの汚れを落す装置として、丸ブラシの複数を並列させて、この各丸ブラシを回転させるようにしたものが考えられている。
【０００３】
【発明が解決しようとする課題】
上記のような、複数の丸ブラシで靴底の汚れを除去する装置は、靴を履いたままでブラシ上に載るための支持手段が必要であり、この支持手段上に載った靴の底に接触するのは丸ブラシの円弧状となった上側部だけであるから靴底を万遍なくブラシでこすれないので、ブラシ上を移動しなければならないという問題がある。
【０００４】
そこで、この発明の課題は、上記のような従来の装置の問題点を解決して、スノコ上に載っているだけで靴底をきれいに洗浄できる装置を提供することである。
【０００５】
【課題を解決するための手段】
上記の課題を解決するため、請求項１の発明は、上部開放の洗浄液槽上に多数の開口を有するスノコを上下動自在で上昇位置への移動弾性を付勢した状態で設け、その下部には、上記各開口内に移動自在にはまり込む多数のブラシを上面に植えたブラシ板を、ブラシ板駆動手段で水平振動させるように配置すると共に、前記スノコ上に加わる荷重で上記スノコが下降している間に作用して、上記ブラシ板駆動手段を作動させるセンサを設けた靴底洗浄装置において、上記ブラシ板を洗浄液槽内に、この洗浄液槽内に設けたブラシ受台で前後左右に移動できるように支持して配置し、上記洗浄液槽の外部にモータの駆動で等速回転する二本のブラシ駆動軸を直立に設け、この二本のブラシ駆動軸にそれぞれ設けた偏心ピンと、上記ブラシ板に洗浄液槽の外部に突出するよう設けた連結板のピン孔を、ブラシ駆動軸の回転で上記ブラシ板が前後左右に水平振動して上記各ブラシが上記スノコの各開口内において前後左右に振動するように回転自在に係合させた構成を採用したものである。
【０００６】
また、請求項２の発明は、上部開放の洗浄液槽上に多数の開口を有するスノコを設け、その下部には、上記各開口内に移動自在にはまり込む多数のブラシを上面に植えたブラシ板を、ブラシ板駆動手段で水平振動させるように配置すると共に、前記スノコ上に加わる荷重で上記スノコが下降している間に作用して、上記スノコ上の靴を検出して上記ブラシ板駆動手段を作動させるセンサを設けた靴底洗浄装置において、上記ブラシ板を洗浄液槽内に、この洗浄液槽内に設けたブラシ受台で前後左右に移動できるように支持して配置し、上記洗浄液槽の外部にモータの駆動で等速回転する二本のブラシ駆動軸を直立に設け、この二本のブラシ駆動軸にそれぞれ設けた偏心ピンと、上記ブラシ板に洗浄液槽の外部に突出するよう設けた連結板のピン孔を、ブラシ駆動軸の回転で上記ブラシ板が前後左右に水平振動して上記各ブラシが上記スノコの各開口内において前後左右に振動するように回転自在に係合させた構成を採用したものである。
【０００７】
上記した各発明において、洗浄液槽には、ブラシの上面が水没する量の洗浄液が充填されるようになっている。
【０００８】
ここで、請求項１の発明は靴を履いたままでスノコ上に載ると、下降したスノコでセンサが作動し、ブラシ板駆動手段を起動してブラシ板を前後左右に振動させる。
【０００９】
上記によりスノコの各開口上に突出したブラシの上端が靴底に接触し、洗浄液中に浸漬した靴底をこすり、上記の作用により靴底が十分に洗浄されたのち、スノコ上から降りるとこのスノコは上昇位置に戻り、ブラシ板が停止する。
【００１０】
【発明の実施の形態】
以下、この発明の実施の形態を添付図面に基づいて説明する。
【００１１】
図に示す実施例において、１は上部開放の方形箱状のケース、２は上記ケース１の内側に装着した上部開放状の洗浄液槽であり、この液槽内にブラシ３とその上部にスノコ４が収納されている。
【００１２】
上記洗浄液槽２の内部底面には、図３のように、ブラシ板５の下面を受ける複数のブラシ受台６を設け、該ブラシ板５を前後左右に自由に移動できるようにする。
【００１３】
上記ブラシ板５の上面には、ナイロンなどのポリアミド系のプラスチックのモノフィラメントのように軟質で弾性のある材料からなる多数の毛体を平面形が小円状になるように植毛した多数のブラシ３を適宜の間隔で千鳥状に配置して設けられている。
【００１４】
上記スノコ４には、その直下のブラシ板５上に設けた各ブラシ３がはまる多数の矩形開口７が平面的に並んだ構造を有する。この各開口７の幅は各ブラシ３の直径の略２倍として開口７内のブラシ３が円を画いて前後左右に移動できるようにする。
【００１５】
ケース１の内部で液槽２の外側には、ギヤボックス８を有するモータ９を設け、このギヤボックス８の下部に突出した出力軸にはプーリ１０を固定すると共に、モータ９と液槽２間の位置に二本のブラシ駆動軸１１、１２を直立状で回転するよう配置し、両駆動軸１１、１２はプーリとベルト１３で等速に連動し、一方駆動軸１１をギヤボックス８の出力軸とプーリ及びベルト１４で連動し、モータ９の起動で両駆動軸１１、１２を等速で回転させるようになっている。
【００１６】
前記ブラシ板５の一側には連結板１５を固定し、上記両駆動軸１１、１２の上側には回転中心から同じ方向に同じ寸法だけ偏心した偏心ピン１６をそれぞれ固定し、この各偏心ピン１６を連結板１５の両端近くのピン孔に回転自在に係合させ、ブラシ板５を前後左右に水平振動させる機構を構成する。
【００１７】
前記スノコ４は、両側の前後位置に上方へ立上った後両側外方に向けて突出するアーム１７が固定され、各アーム１７の先端がケース１内に立設した垂直のガイド軸１８で一定範囲の上下動可能に支持され、かつ、各アーム１７はショックアブソーバ１９で支持され、常時上昇位置に復帰する弾性を付勢され、下降限位置はストッパー２０によって設定される。
【００１８】
図３（Ａ）は、スノコ４が上昇限位置にある状態を示し、該スノコ４の上面がブラシ３の上面よりも少し上方に位置している。なお、液槽２内に充填した洗浄液ａの液面は、ブラシ３の上面が水没する程度に設定されている。
【００１９】
図３（Ｂ）は、スノコ４が下限位置にある状態を示し、該スノコ４の上面はブラシ３の上面よりも下方に下降することになる。
【００２０】
図１と図３に示すように、アーム１７の下方位置に、スノコ４が下降動したときアーム１７で押されて作動するセンサ２１（スイッチ）が配置され、該センサ２１はアーム１７で押されている間、モータ９への通電状態を維持し、ブラシ板５を回動させることになる。
【００２１】
前記液槽２内に対する洗浄液ａの供給は、図３（Ａ）、（Ｂ）に示すように、ケース１内でモータ９と反対側の位置に補給水タンク２２を設置し、該タンク２２の下部に設けたバルグ２３の下端を液槽２内に臨ませ、液槽２の液面の低下と共に、給水が自動的に行なえるようにしている。
【００２２】
この発明の洗浄装置は上記のような構成であり、洗浄を行なわないときは、図３（Ａ）に示すように、スノコ４は上昇位置にあり、ブラシ３は上面が洗浄液ａ内に浸漬した状態になっている。
【００２３】
いま、靴を履いた人がスノコ４上に載るとその荷重でショックアブソーバ１９が圧縮されてスノコ４が図３（Ｂ）の如く下降するので、センサ２１が働いてモータ９が回転し、ブラシ３はブラシ板５とともに前後左右に振動して靴底をこすって靴底の油などの汚れを洗い落す。洗浄液ａはブラシ３の上面が水没する量になっているので、靴底は洗浄液ａ内に浸漬した状態でブラシ３によりこすられ、洗浄が効率よく行なえる。
【００２４】
靴底の洗浄が終り、スノコ４から人が降りて荷重が除かれると、ショックアブソーバ１９によりスノコ４が上昇し、センサ２１が切れモータ９が止まる。
【００２５】
上記、液槽２内の洗浄液の除去は、ポンプ等による吸上げによって行なえばよい。
【００２６】
なお、図示省略したが、スノコは固定配置として上下動しないようにし、このスノコ上に靴が載ると、スノコに取り付けたり、ケース内の適所に取り付けたセンサでこれを検出し、ブラシ板駆動手段を作動させるように構成してもよい。この場合、ブラシは上端をスノコの上面に所定長さ突出させ、洗浄液はブラシの上面が水没する量となるようにする。
【００２７】
【発明の効果】
以上のように、この発明によると、水平に振動するブラシ板により洗浄液に浸漬した靴底をこすりながら洗浄するので、靴底の油などの汚れが能率よく落され、振動も少ないので安定した状態で靴底の洗浄が行えるなどの効果がある。
【図面の簡単な説明】
【図１】靴底洗浄装置の平面図
【図２】同上要部の分解斜視図
【図３】（Ａ）は図１のIII −III 線に沿う断面図、（Ｂ）は同上のスノコ下降状態を示す断面図
【図４】（Ａ）は図１のIV−IV線に沿う断面図、（Ｂ）は図１のＶ−Ｖ線に沿う断面図
【符号の説明】
１  ケース
２  液槽
３  ブラシ
４  スノコ
５  ブラシ板
７  開口
９  モータ
【図１】
0003543033.tif 000002
【図２】
0003543033.tif 000003
【図３】
0003543033.tif 000004
【図４】
0003543033.tif 000005